(57)【要約】【課題】  コンピュータ上で管理された会議情報を利用して、会議で利用する印刷物の作成を効率的に行う。【解決手段】  会議に用いる資料を印刷するために適切な各種印刷モードの組み合わせに対応したマクロを自動生成し管理する印刷モードマクロ管理部と、前記印刷モードマクロ管理部に保持された各印刷モードマクロに対応する入力アイコンを画面上に表示するアイコン表示制御部と、前記アイコン表示制御部によって画面上に表示されたアイコンが押されたか否かを認識するアイコン入力認識部と、前記印刷モードマクロ管理部に保持された各印刷モードマクロに対応する音声認識語彙を設定する認識語彙制御部と、前記音声認識語彙をもとに入力音声の認識を行なう音声認識部と、前記アイコン入力認識部もしくは前記音声認識部の認識結果に従って印刷モードを設定する印刷モード設定部と、前記印刷モード設定部の設定に従って印刷を実行する印刷実行部とを備える。【選択図】  図１
2005173794.tif 000002
【特許請求の範囲】
【請求項１】
会議情報を入力する会議情報入力部と、前記会議情報入力部によって入力された会議情報を保持・管理する会議情報管理部と、前記会議情報管理部に管理された会議情報から、その会議に用いる資料を印刷するために適切な各種印刷モードの組み合わせに対応するマクロを自動生成し管理する印刷モードマクロ管理部と、前記印刷モードマクロ管理部に保持された各印刷モードマクロに対応する入力アイコンを画面上に表示するアイコン表示制御部と、前記アイコン表示制御部によって画面上に表示されたアイコンが押されたか否かを認識するアイコン入力認識部と、前記印刷モードマクロ管理部に保持された各印刷モードマクロに対応する音声認識語彙を設定する認識語彙制御部と、前記音声認識語彙をもとに入力音声の認識を行なう音声認識部と、前記アイコン入力認識部もしくは前記音声認識部の認識結果に従って印刷モードを設定する印刷モード設定部と、前記印刷モード設定部の設定に従って印刷を実行する印刷実行部とを備えることを特徴とする印刷機器制御方式。
【請求項２】
請求項１に記載の印刷機器制御方式であって、前記会議情報入力部は、少なくともその会議が行なわれる時刻、会議名、参加人数を入力することを特徴とし、さらに、会議資料の印刷モードを入力することもできることを特徴とする印刷機器制御方式。
【請求項３】
請求項１に記載の印刷機器制御方式であって、前記印刷モードマクロ管理部は、前記会議情報管理部が保持する各会議情報を参照し、印刷モードの一つである印刷部数が入力されていない場合は、印刷部数として参加人数を設定し、その他の印刷モードが入力されていない場合は、あらかじめ決められたデフォルト値を設定し、この印刷モードを会議の開始時刻とともにマクロとして保持することを特徴とする印刷機器制御方式。
【請求項４】
請求項１に記載の印刷機器制御方式であって、前記アイコン表示制御部は、前記印刷モードマクロ管理部に保持された各マクロのうち、会議開始時刻が現在時刻より後であるものを選び出し、選び出されたマクロに対するアイコンのみを表示することを特徴とする印刷機器制御方式。
【請求項５】
請求項１に記載の印刷機器制御方式であって、前記アイコン表示制御部は、前記印刷モードマクロ管理部に保持された各マクロの会議開始時刻が現在時刻に近い順に対応するアイコンを表示することを特徴とする印刷機器制御方式。
【請求項６】
請求項１に記載の印刷機器制御方式であって、前記認識語彙制御部は、前記印刷モードマクロ管理部に保持された各マクロのマクロ名を言語解析を用いて読み付けし、その読みを認識語彙とすることを特徴とする印刷機器制御方式。
【請求項７】
請求項１に記載の印刷機器制御方式であって、前記認識語彙制御部は、前記印刷モードマクロ管理部に保持された各マクロのうち、会議開始時刻が現在時刻以前のものに対応する認識語彙を除外することを特徴とする印刷機器制御方式。
【請求項８】
会議情報を入力する会議情報入力手段と、前記会議情報入力手段によって入力された会議情報を保持・管理する会議情報管理手段と、前記会議情報管理手段に管理された会議情報から、その会議に用いる資料を印刷するために適切な各種印刷モードの組み合わせに対応するマクロを自動生成し管理する印刷モードマクロ管理手段と、前記印刷モードマクロ管理手段に保持された各印刷モードマクロに対応する入力アイコンを画面上に表示するアイコン表示制御手段と、前記アイコン表示制御手段によって画面上に表示されたアイコンが押されたか否かを認識するアイコン入力認識手段と、前記印刷モードマクロ管理手段に保持された各印刷モードマクロに対応する音声認識語彙を設定する認識語彙制御手段と、前記音声認識語彙をもとに入力音声の認識を行なう音声認識手段と、前記アイコン入力認識手段もしくは前記音声認識手段の認識結果に従って印刷モードを設定する印刷モード設定手段と、前記印刷モード設定手段の設定に従って印刷を実行する印刷実行手段とを備えることを特徴とする印刷機器制御装置。
【請求項９】
請求項８に記載の印刷機器制御装置であって、前記会議情報入力手段は、少なくともその会議が行なわれる時刻、会議名、参加人数を入力することを特徴とし、さらに、会議資料の印刷モードを入力することもできることを特徴とする印刷機器制御装置。
【請求項１０】
請求項８に記載の印刷機器制御装置であって、前記印刷モードマクロ管理手段は、前記会議情報管理手段が保持する各会議情報を参照し、印刷モードの一つである印刷部数が入力されていない場合は、印刷部数として参加人数を設定し、その他の印刷モードが入力されていない場合は、あらかじめ決められたデフォルト値を設定し、この印刷モードを会議の開始時刻とともにマクロとして保持することを特徴とする印刷機器制御装置。
【請求項１１】
請求項８に記載の印刷機器制御装置であって、前記アイコン表示制御手段は、前記印刷モードマクロ管理手段に保持された各マクロのうち、会議開始時刻が現在時刻より後であるものを選び出し、選び出されたマクロに対するアイコンのみを表示することを特徴とする印刷機器制御装置。
【請求項１２】
請求項８に記載の印刷機器制御装置であって、前記アイコン表示制御手段は、前記印刷モードマクロ管理手段に保持された各マクロの会議開始時刻が現在時刻に近い順に対応するアイコンを表示することを特徴とする印刷機器制御装置。
【請求項１３】
請求項８に記載の印刷機器制御装置であって、前記認識語彙制御手段は、前記印刷モードマクロ管理手段に保持された各マクロのマクロ名を言語解析を用いて読み付けし、その読みを認識語彙とすることを特徴とする印刷機器制御装置。
【請求項１４】
請求項８に記載の印刷機器制御装置であって、前記認識語彙制御手段は、前記印刷モードマクロ管理手段に保持された各マクロのうち、会議開始時刻が現在時刻以前のものに対応する認識語彙を除外することを特徴とする印刷機器制御装置。
【発明の詳細な説明】
【技術分野】
【０００１】
本発明は、印刷モードを設定可能な印刷機器の制御方式に関する。
【背景技術】
【０００２】
近年、複写機やプリンタのデジタル化が進展し、さらに通信機能を備えて、ネットワーク経由でコンピュータと情報をやりとりすることによる多機能化が進んでいる。
【０００３】
複写機やプリンターなどの印刷機器は、印刷部数、印刷倍率、片面印刷／両面印刷、用紙サイズをはじめとする各種印刷モードが設定可能であり、こうした印刷モードをユーザがその用途に応じて適当に設定することで、多種多様な印刷ができる。複写機の場合、こうした印刷モードの設定は、液晶モニタ上のアイコンを押したり、物理ボタンを押したりすることによる行なうのが一般的である。プリンタの場合、印刷モードの設定は、パソコン上のGUIをマウスやキーボードで操作することによって行なうのが一般的である。
【０００４】
こうしたGUIや物理ボタンによる印刷モードの設定は必ずしも快適ではなく、特に、視覚障害者にとっては困難である。近年、社会のバリアフリー意識が高まり、米国ではリハビリテーション法の施行によって障害者にとっても使いやすいオフィス機器の開発を促そうとしている。こうした状況を考えても、GUIや物理ボタンにかわる印刷モード設定の方法が望まれる。これに対し、印刷モードに対応した音声を入力することで印刷モードを設定する方法が提案されている(特許文献１参照)。しかし、この発明では、印刷モードと音声認識語彙を対応付ける有効な手段が示されていない。
【特許文献１】特開平09-090818号公報
【発明の開示】
【発明が解決しようとする課題】
【０００５】
一般に、複写機やプリンタを用いた印刷は、会議等の資料を作成する場合が多い。会議前に複写機で資料をコピーする場合は、会議の参加人数を考え、その人数分をコピーする。特に毎週あるいは毎月行なわれる定例会議などの場合、参加人数は同じである場合が多いにもかかわらず、毎回コピーのたびに参加人数を思い出してコピー部数を設定するのは非常にわずらわしい。一方、近年のオフィスでは、１人１台以上のパソコンを所有して、各人がスケジュール管理ソフトなどを利用してスケジュールを管理することが多い。会議の情報は、こうしたスケジュール管理ソフトに、その時刻や会議名とともに入力し、場合によっては、会議の参加人数を入力しておいたりする。あるいは、イントラネットの普及が進み、会議室予約を扱うサーバーを設置して、ネットワーク経由で会議室の予約を可能とするシステムが利用されている。この場合でも、会議室予約サーバーは、会議の時刻(時間帯も含む)はもとより、その会議名、参加人数、予約者の氏名、所属部署などの情報を管理している。こうしたコンピュータ上で管理された会議情報を利用して、会議に対応した印刷モードの設定を効率的に行なうといった方法は、従来にはなかった。
【課題を解決するための手段】
【０００６】
上記問題を解決するために、本発明の印刷機器制御方式は、会議情報を入力する会議情報入力部と、前記会議情報入力手段によって入力された会議情報を保持・管理する会議情報管理部と、前記会議情報管理部に管理された会議情報から、その会議に用いる資料を印刷するために適切な各種印刷モードの組み合わせに対応したマクロを自動生成し管理する印刷モードマクロ管理部と、前記印刷モードマクロ管理部に保持された各印刷モードマクロに対応する入力アイコンを画面上に表示するアイコン表示制御部と、前記アイコン表示制御部によって画面上に表示されたアイコンが押されたか否かを認識するアイコン入力認識部と、前記印刷モードマクロ管理部に保持された各印刷モードマクロに対応する音声認識語彙を設定する認識語彙制御部と、前記音声認識語彙をもとに入力音声の認識を行なう音声認識部と、前記アイコン入力認識部もしくは前記音声認識部の認識結果に従って印刷モードを設定する印刷モード設定部と、前記印刷モード設定部の設定に従って印刷を実行する印刷実行部とを備えることを特徴とする。
【発明の効果】
【０００７】
以上説明したように、本発明の印刷機器制御方式は、会議情報を入力する会議情報入力部と、前記会議情報入力手段によって入力された会議情報を保持・管理する会議情報管理部と、前記会議情報管理部に管理された会議情報から、その会議に用いる資料を印刷するために適切な各種印刷モードの組み合わせをマクロとして管理する印刷モードマクロ管理部と、前記印刷モードマクロ管理部に保持された各印刷モードマクロに対応する入力アイコンを画面上に表示するアイコン表示制御部と、前記アイコン表示制御部によって画面上に表示されたアイコンが押されたか否かを認識するアイコン入力認識部と、前記印刷モードマクロ管理部に保持された各印刷モードマクロに対応する音声認識語彙を設定する認識語彙制御部と、前記音声認識語彙をもとに入力音声の認識を行なう音声認識部と、前記アイコン入力認識部もしくは前記音声認識部の認識結果に従って印刷モードを設定する印刷モード設定部と、前記印刷モード設定部の設定に従って印刷を実行する印刷実行部とを備えたので、会議情報から自動的に印刷モードマクロを設定することが可能になり、さらに、グループで複写機を共有利用する場合、他のユーザが入力した会議情報から生成された印刷モードマクロをそのまま利用でき、しかも、アイコン押下や音声入力でそのマクロを入力でき、従来わずらわしかった印刷モード設定が簡単で、視覚障害者にも使いやすくなる、という効果がある。
【発明を実施するための最良の形態】
【０００８】
以下、図面を参照して本発明の一実施形態を詳細に説明する。
【０００９】
図１は、本発明の一実施例に係る印刷機器制御方式のブロック図である。同図において、
１０１は、複写機である。
１０２は、ＬＡＮである。
１０３は、会議情報管理コンピュータである。
【００１０】
１０４は、複写機１０１の印刷実行部である。
１０５は、複写機１０１の印刷モード設定部である。
１０６は、複写機１０１の音声認識部である。
【００１１】
１０７は、複写機１０１のアイコン入力認識部である。
１０８は、複写機１０１の音声認識部１０６で利用する認識語彙である。
１０９は、複写機１０１の認識語彙制御部である。
【００１２】
１１０は、複写機１０１のアイコン表示制御部である。
１１１は、複写機１０１の印刷モードマクロ管理部である。
１１２は、複写機１０１の通信部である。
【００１３】
１１３は、会議情報管理コンピュータ１０３の会議情報管理部である。
１１４は、会議情報管理コンピュータ１０３の会議情報入力部である。
１１５は、会議情報管理コンピュータ１０３の通信部である。
【００１４】
図２は、本発明の一実施例に係る複写機１０１のハードウエア構成を示す構成図である。
【００１５】
同図において、
２０１はCPUであり、後述する手順を実現するプログラムに従って動作する。
２０２はRAMであり、上記プログラムの動作に必要な記憶領域を提供する。
２０３はROMであり、後述する手順を実現するプログラムを保持する。
【００１６】
２０４はディスク装置であり、印刷モードマクロ管理部が印刷モードマクロ情報を保持する。
２０５は液晶表示装置であり、アイコンなどのGUI表示を行なう。
２０６はマイクであり、音声認識部１０６に対する音声入力を行なう。
【００１７】
２０７は通信デバイスである。
２０８はバスである。
【００１８】
図３は、本発明の一実施例に係る会議情報管理コンピュータ１０３のハードウエア構成を示す構成図である。
【００１９】
同図において、
３０１はCPUであり、後述する手順を実現するプログラムに従って動作する。
３０２はRAMであり、上記プログラムの動作に必要な記憶領域を提供する。
３０３はROMであり、後述する手順を実現するプログラムを保持する。
【００２０】
３０４はディスク装置であり、会議情報管理部が会議情報を保持する。
３０５は通信デバイスである。
３０６はバスである。
【００２１】
図４のフローチャートで、本実施例における会議情報管理コンピュータの動作を説明する。まず、会議情報入力部においてユーザからの会議情報の入力があるか否かをチェックする(S401)。会議情報入力の画面例を図５に示す。これは、このような入力ウインドウを備えたスケジュール管理ソフトウエアと考えてもよいし、ウエブブラウザの画面と考えてもよい。このように、会議室名、開始時刻、期間、参加人数、場所を設定する。会議資料印刷モードの設定はオン／オフ設定可能であり、必ずしも会議資料印刷モードを設定する必要はない。こうして会議情報が入力されたら、会議情報管理部が会議情報データベースに入力情報を追加する(S402)。会議情報データベースにおける会議情報の記述例を図６に示す。図５の例では会議資料印刷モードの設定はオフになっているので、図６の会議情報における印刷モードの情報はすべて空になっている。続いて、何らかの終了条件をチェックし(S403)、終了であれば終わる。終了でなければ、S401へ戻る。
【００２２】
次に、図７のフローチャートで、本実施例における複写機の動作を説明する。スタートしたら(電源オンなど)、まず、印刷モードをデフォルトに設定する(S701)。続いて、S702以降の処理とS713以降の処理を並列に走らせる。
【００２３】
まず、S713以降の処理について説明する。ここでは、会議情報に基いて印刷モードマクロの更新やこれに基づく音声認識語彙の更新を行なう。まず、ＬＡＮ経由で会議情報管理コンピュータと通信し、会議情報管理部１１３が保持する会議情報データベースにアクセスして会議情報を取得する(S713)。過去に取得した会議情報から更新があるか否かをチェックし(S714)、更新があれば、新規に追加された会議情報から、続く処理で印刷モードマクロを生成する。まず、会議情報において印刷モードが設定されていなかったら、印刷部数として、会議の参加人数を設定する。会議情報が図６の場合、印刷部数は12に設定される。印刷部数以外のモードは、あらかじめ決められたデフォルト値に設定される(S715)。こうして生成したマクロ情報を印刷モードマクロ管理部が管理する印刷モードマクロデータベースに追加する(S716)。図６の会議情報から生成されたマクロ情報は図８のようになる。マクロ名は会議名を用いる。図８のマクロ情報を追加した印刷モードマクロデータベースの例を図９に示す。このように、会議に対応した印刷モードマクロが保持される。続いて、このマクロ名を言語解析により読み付けする(S717)。言語解析による読み付け処理の中身は、音声合成などで利用される方法で実現可能であるので、ここでは詳細は述べない。読み付けにより得られたマクロ名の読みを音声認識語彙１０８に追加する(S718)。加えて、会議開始時刻が現在時刻以前のマクロに対応するマクロ名読みを音声認識語彙１０８から除外する。例えば、現在時刻が2001年9月4日18時であった場合、図９の印刷モードマクロデータベースに対応する音声認識語彙は図１０のようになる。この例は、新規に追加されたマクロ「月例報告会」の読み「ゲツレーホーコクカイ」が追加され、過去の会議である「音声認識グループミーティング」の読みが除外された様子を示している。最後に、何らかの終了条件をチェックし(S719)、終了でなければ、一定時間待ったあと(S720)、S713に戻る。このようにして、会議情報の更新に連動して、印刷モードのマクロが自動的に生成される。
【００２４】
続いて、S702以降の処理について説明する。まず、印刷モードマクロデータベースにアクセスし、現在時刻以降の開始時刻情報を持ったマクロをリストアップする。リストアップされたマクロに対応するアイコンを、現在時刻に近い順に液晶画面２０５上に表示する。現在時刻が2001年9月4日18時であった場合、図９の印刷モードマクロデータベースに対して表示される画面上のマクロアイコン例は図１１のようになる。「音声認識グループミーティング」はすでに過去のものであるので表示対象から除外される。ユーザは会議の直前など、会議開始に近い時刻に資料のコピーをとるケースが多いので、現在時刻に近い順に並べることで、会議に対応するアイコンを見つけやすくなる。次にリセットボタンが押されたか否かをチェックし(S703)、押されたら、印刷モードをデフォルトに戻す(S704)。続いて、マクロアイコンが押されたか否かをチェックし(S705)、押されたら、印刷モードをそのマクロに対応するモードに設定する(S706)。このようにして、ユーザはGUIボタンを押すだけで簡単に所望のモード設定ができる。さらに、音声入力があったかどうかをチェックし(S707)、あれば、音声認識を行なう(S708)。この音声認識の際に使用する認識語彙は、認識語彙１０８である。音声認識結果に従って、対応する印刷モードに設定する(S709)。実行(コピー)ボタンが押されたら(S710)、現在設定されている印刷モードでコピーを実行する(S711)。終了条件をチェックし(S712)、終了でなければ、S702に戻る。
【００２５】
（他の実施例）
上記実施例では、１台の複写機、１台の会議情報管理コンピュータから構成される例を示したが、図１２のように、複数のグループが１台の複写機１２０１を共有利用する構成でもよい。この場合、各グループは、それぞれの会議情報管理コンピュータ１２０２、１２０３を持ち、各グループの各ユーザはそれぞれのPCを使用し、すべてがＬＡＮ１２０４、１２０５、１２０６でつながっている。複写機１２０１は図１の複写機１０１と基本的に同じ仕組みを持つが、印刷モードマクロデータベースと認識語彙を、グループＡ、Ｂに対してそれぞれ別に保持し(１２０７、１２０８)、さらに、複写機使用者の属するグループを特定するためのグループＩＤ取得部１２０９を備える。
【００２６】
本実施例の構成において、グループAのユーザが入力した会議情報はグループAの会議情報管理コンピュータ１２０２に保持される。グループBについても同様である。複写機１２０１は、グループAの会議情報管理コンピュータの保持する会議情報データベースから、グループAのユーザが使用可能な印刷モードマクロおよび音声認識語彙を上記実施例と同じ方法で生成し、印刷モードマクロデータベースおよび認識語彙１２０７に追加する。グループBについても同様である。ユーザは複写機を使用してコピーを取る場合、まず、グループＩＤを複写機１２０１に打ち込む。複写機１２０１は、そのグループＩＤに従って、使用する印刷モードマクロデータベースおよび認識語彙を選択し、これに基づいてマクロアイコンの表示や音声認識を行なう。
【００２７】
グループ内のユーザは、グループの定例会議など、会議情報を共有しているケースが多い。こうした場合、グループ内の他のユーザが入力した会議情報から生成されたマクロを利用することが可能になる。例えば、グループ内に視覚障害者がいた場合、グループ内の視覚健常者がグループ定例会議情報を入力するようにしておけば、この視覚障害者は会議名を発声するだけで所望のコピーを行なうことが可能となる。
【００２８】
上記実施例では、マクロのアイコン押下や音声入力で設定した印刷モードの確認をしていなかったが、アイコン押下や音声入力の後に、そのマクロに対応する各設定内容を画面上に表示、あるいは、音声で読み上げるなどして、そのモードでよいか否かの確認をしてもよい。
【００２９】
上記実施例では、マクロ名から言語解析により自動で読み付けし、これを音声認識語彙に追加していた。しかし、言語解析の精度は100%ではないので、読み付けの誤りを起こした場合、誤った認識語彙を追加してしまう。このようなケースに対応できるように、認識語彙の確認や修正をする機能を複写機に追加してもよい。複写機とコンピュータはネットワークでつながっているので、この確認・修正はコンピュータ上で行なうようにしてもよい。
【００３０】
上記実施例においては、各部を同一の計算機上で構成する場合について説明したが、これに限定されるものではなく、ネットワーク上に分散した計算機や処理装置などに分かれて各部を構成してもよい。
【００３１】
上記実施例においては、プログラムをROMに保持する場合について説明したが、これに限定されるものではなく、任意の記憶媒体を用いて実現してもよい。また、同様の動作をする回路で実現してもよい。
【００３２】
なお、本発明は、複数の機器から構成されるシステムに適用しても、１つの機器からなる装置に適用してもよい。前述した実施形態の機能を実現するソフトウエアのプログラムコードを記録した記録媒体を、システム或いは装置に供給し、そのシステム或いは装置のコンピュータ（またはＣＰＵやＭＰＵ）が記録媒体に格納されたプログラムコードを読み出し実行することによっても、達成されることは言うまでもない。この場合、記録媒体から読み出されたプログラムコード自体が前述した実施形態の機能を実現することになり、そのプログラムコードを記録した記録媒体は本発明を構成することになる。
【００３３】
プログラムコードを供給するための記録媒体としては、例えば、フロッピー（登録商標）ディスク、ハードディスク、光ディスク、光磁気ディスク、ＣＤーＲＯＭ、ＣＤーＲ、磁気テープ、不揮発性のメモリカード、ＲＯＭなどを用いることができる。
【００３４】
また、コンピュータが読み出したプログラムコードを実行することにより、前述した実施形態の機能が実現されるだけでなく、そのプログラムコードの指示に基づき、コンピュータ上で稼働しているＯＳなどが実際の処理の一部または全部を行ない、その処理によって前述した実施形態の機能が実現される場合も含まれることは言うまでもない。
【００３５】
更に、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行ない、その処理によって前述した実施形態の機能が実現される場合も含まれることは言うまでもない。
【図面の簡単な説明】
【００３６】
【図１】本発明の一実施例に係る印刷機器制御方式のブロック図である。
【図２】本発明の一実施例に係る複写機１０１のハードウエア構成を示す構成図である。
【図３】本発明の一実施例に係る会議情報管理コンピュータ１０３のハードウエア構成を示す構成図である。
【図４】本発明の一実施例に係る、会議情報管理コンピュータの動作を説明するフローチャートである。
【図５】本発明の一実施例に係る、会議情報入力の画面例である。
【図６】本発明の一実施例に係る、会議情報データベースにおける会議情報の記述例である。
【図７】本発明の一実施例に係る、複写機の動作を説明するフローチャートである。
【図８】本発明の一実施例に係る、会議情報から生成されたマクロ情報の記述例である。
【図９】本発明の一実施例に係る、印刷モードマクロデータベースの例である。
【図１０】本発明の一実施例に係る、音声認識語彙の例である。
【図１１】本発明の一実施例に係る、印刷機器の画面上のマクロアイコン表示例である。
【図１２】本発明の他の実施例に係る、印刷機器制御方式のブロック図である。
【図１】
2005173794.tif 000003
【図２】
2005173794.tif 000004
【図３】
2005173794.tif 000005
【図４】
2005173794.tif 000006
【図５】
2005173794.tif 000007
【図６】
2005173794.tif 000008
【図７】
2005173794.tif 000009
【図８】
2005173794.tif 000010
【図９】
2005173794.tif 000011
【図１０】
2005173794.tif 000012
【図１１】
2005173794.tif 000013
【図１２】
2005173794.tif 000014